(57)【要約】【課題】化粧蓋や封緘等のキャップの取り外しが容易で、しかも取り外したキャップの再使用が可能なキャップ取り外し工具を提供する。【解決手段】封緘対象物３０等を固定した固着具３１の頭部を覆うように装着された封緘用のキャップ３２を取り外すキャップ取り外し工具であって、キャップ３２の外周面を挟着して引っ張ることにより、封緘対象物３０等とキャップ３２の間に僅かな隙間を形成する第１工具１と、隙間にパッド部材１０を圧入して、隙間をさらに拡開する第２工具６と、隙間部分に露出した固着具３１を挟着して回転させることにより、固着具３１とともにキャップ３２を取り外す第３工具１５とから構成したもので、一般の工具では取り外しが困難な封緘等のキャップ３２を破壊せず、また封緘対象物３０等を傷付けずに取り外すことができる上、操作も簡単なことから、取り外し作業が短時間で能率よく行える。  【選択図】図４
2007021631.tif 000002
【特許請求の範囲】
【請求項１】
封緘対象物等を固定した固着具の頭部を覆うように装着された封緘等のキャップを取り外すキャップ取り外し工具であって、前記キャップの外周面を挟着して引っ張ることにより、前記封緘対象物等と前記キャップの間に僅かな隙間を形成する第１工具と、前記隙間にパッド部材を圧入して、前記隙間をさらに拡開する第２工具と、前記隙間部分に露出した前記固着具を挟着して回転させることにより、前記固着具とともに前記キャップを取り外す第３工具とを具備したことを特徴とするキャップ取り外し工具。  
【請求項２】
前記第１工具を、筒状の第１工具本体と、前記第１工具本体内に螺合された状態で収容され、かつ一端側に前記キャップの外周面を挟着するコレットチャック部が設けられ、他端側に衝撃工具等を取り付ける工具取り付け環が設けられたチャック部材とから構成してなる請求項１に記載のキャップ取り外し工具。
【請求項３】
前記第２工具を、筒体を半割りにすることにより形成された第２工具本体と、前記第２工具本体の一端側に設けられ、かつ外側面が凸球面状に、そして内側面がテーパ状に形成されていると共に、中心部に前記固着具の外径より大径な透孔が開口されたパッド部材と、前記第２工具本体の他端側に設けられ、かつ前記半割りされた第２工具本体を合致する際位置合わせを行うガイド部材と、互いに合致された前記第２工具本体を径方向へ締め付ける締結ボルトとから構成してなる請求項１に記載のキャップ取り外し工具。
【請求項４】
前記第３工具を、筒体を半割りにすることにより形成された第３工具本体と、前記第３工具本体の一端側に設けられ、かつ外側面が凸球面状に、そして内側面がテーパ状に形成されていると共に、中心部に前記固着具の外径よりやや小径な透孔が開口された端板と、前記第３工具本体の他端側に設けられ、かつ前記半割りされた第３工具本体を合致する際位置合わせを行うと共に、外側面に工具取り付け部が突設されたガイド部材と、互いに合致された前記第３工具本体を径方向へ締め付ける締結ボルトとから構成してなる請求項１に記載のキャップ取り外し工具。
【請求項５】
前記パッド部材を、四フッ化エチレン樹脂や、セラミックスのような滑性を有し、かつ前記封緘対象物等や前記キャップより軟質な材料により形成してなる請求項１または請求項３に記載のキャップ取り外し工具。
【発明の詳細な説明】
【技術分野】
【０００１】
本発明は、化粧蓋や封緘等に使用されているキャップを取り外すためのキャップ取り外し工具に関する。
【背景技術】
【０００２】
従来建築業界等で使用されている化粧蓋は、ボルト等の固着具の頭部に装着することにより、固着具の頭部が表出しないようにして、装飾的な効果を高める目的で使用されている。
また封緘は、封緘対象物を取り付けているボルト等の固着具の頭部に装着することにより、一般の工具では封緘対象物が取り外せないようにする目的で使用されている。
例えば特許文献１には、封緘対象物を固定している固定用部材の首部に嵌挿した収納部材の係合用フックに、固定用部材の頭部を覆うように被冠した蓋部材の弾性脚部を係合することにより、封緘対象物を固定している固定用部材の封緘作業が効率よく行えるようにした封緘具が記載されている。
【特許文献１】特開平１０−６１６４９号公報
【発明の開示】
【発明が解決しようとする課題】
【０００３】
しかし建築業界で使用されている化粧蓋の場合、何等かの理由で固着具を取り外す必要が発生した場合、固着具の頭部を覆っている化粧蓋をペンチ等の工具を使用して破壊することにより頭部を露出させた後、スパナ等の工具を使用して固着具を取り外す作業を行うため、化粧蓋は再使用できない問題がある。
一方前記特許文献１に記載された封緘具は、蓋部材に形成された突起部をつまむと、脆弱部の位置で突起部が折れて収納部材と蓋部材の係合状態が解除されるため、蓋部材を開けて固定用部材を封緘対象物から取り外すことにより封緘対象物を取り出すことができ、これによって封緘状態の解除が容易に行えるようになっているが、この封緘具も一旦取り外したら再使用できない問題がある。
本発明はかかる問題を改善するためになされたもので、化粧蓋や封緘等のキャップの取り外しが容易で、しかも取り外したキャップの再使用が可能なキャップ取り外し工具を提供することを目的とするものである。
【課題を解決するための手段】
【０００４】
本発明のキャップ取り外し工具は、封緘対象物等を固定した固着具の頭部を覆うように装着された封緘等のキャップを取り外すキャップ取り外し工具であって、キャップの外周面を挟着して引っ張ることにより、封緘対象物等とキャップの間に僅かな隙間を形成する第１工具と、隙間にパッド部材を圧入して、隙間をさらに拡開する第２工具と、隙間部分に露出した固着具を挟着して回転させることにより、固着具とともにキャップを取り外す第３工具とから構成したものである。
【０００５】
前記構成により、一般の工具では取り外しが困難な封緘等のキャップを破壊せず、また封緘対象物を傷付けずに取り外すことができる上、操作も簡単なことから、取り外し作業が短時間で能率よく行えるようになる。
また取り外したキャップを再度取り付けた際、封緘対象物等とキャップの接触面間に隙間が発生していても、キャップの頭部をゴムハンマ等で軽くたたいて、キャップを封緘対象物等に密着させることにより、簡単に元の状態に修復することができる。
【０００６】
本発明のキャップ取り外し工具は、第１工具を、筒状の第１工具本体と、第１工具本体内に螺合された状態で収容され、かつ一端側に前記キャップの外周面を挟着するコレットチャック部が設けられ、他端側に衝撃工具等を取り付ける工具取り付け環が設けられたチャック部材とから構成したものである。
【０００７】
前記構成により、封緘対象物等やキャップを傷付けることなく、封緘対象物等とキャップの間に僅かな隙間を形成することができる。
【０００８】
本発明のキャップ取り外し工具は、第２工具を、筒体を半割りにすることにより形成された第２工具本体と、第２工具本体の一端側に設けられ、かつ外側面が凸球面状に、そして内側面がテーパ状に形成されていると共に、中心部に固着具の外径より大径な透孔が開口されたパッド部材と、第２工具本体の他端側に設けられ、かつ半割りされた第２工具本体を合致する際位置合わせを行うガイド部材と、互いに合致された第２工具本体を径方向へ締め付ける締結ボルトとから構成したものである。
【０００９】
前記構成により、締結ねじによる締め付け力と、パッド部材の内側面に形成されたテーパ面によってパッド部材の中心部付近に大きな拡張力が得られるため、第１工具により形成された隙間を、封緘対象物等やキャップを傷付けることなく容易に拡開することができる。
【００１０】
本発明のキャップ取り外し工具は、第３工具を、筒体を半割りにすることにより形成された第３工具本体と、第３工具本体の一端側に設けられ、かつ外側面が凸球面状に、そして内側面がテーパ状に形成されていると共に、中心部に固着具の外径よりやや小径な透孔が開口された端板と、第３工具本体の他端側に設けられ、かつ半割りされた第３工具本体を合致する際位置合わせを行うと共に、外側面に工具取り付け部が突設されたガイド部材と、互いに合致された第３工具本体を径方向へ締め付ける締結ボルトとから構成したものである。
【００１１】
前記構成により、締結ねじによる締め付け力により確実に固着具のねじ部を挟着することができるため、長期間使用していたため錆付いてしまった固着具であっても、確実に取り外すことができる。
【００１２】
本発明のキャップ取り外し工具は、パッド部材を、四フッ化エチレン樹脂や、セラミックスのような滑性を有し、かつ封緘対象物等やキャップより軟質な材料により形成したものである。
【００１３】
前記構成により、封緘対象物等やキャップを傷付けることなく取り外すことができる。
【発明の効果】
【００１４】
本発明のキャップ取り外し工具によれば、一般の工具では取り外しが困難な封緘等のキャップを破壊せず、また封緘対象物等を傷付けずに取り外すことができる上、操作も簡単なことから、封緘対象物等やキャップの取り外し作業が短時間で能率よく行える。
【発明を実施するための最良の形態】
【００１５】
本発明の実施の形態を、図面を参照して詳述する。
図１はキャップ取り外し工具を構成する第１工具の斜視図、図２は一部を断面した分解平面図、図３は第２工具の平面図、図４は同分解斜視図、図５は図３のＡ方向からの矢視図、図６は図３のＢ方向からの矢視図、図７は図３のＣ−Ｃ線に沿う断面図、図８は第３工具の平面図、図９は同分解斜視図、図１０は図８のＤ方向からの矢視図、図１１は図８のＥ方向からの矢視図、図１２は図８のＦ−Ｆ線に沿う断面図、図１３ないし図１５は作用説明図である。
【００１６】
図１及び図２に示す第１工具は、筒状の第１工具本体２と、この第１工具本体２内に収容されたチャック部材３とからなる。
第１工具本体は、大径部２ａと小径部２ｂとから形成されていて、大径部２ａ側の端面が開口されており、小径部２ｂ側の端面は、中心部に円孔２ｃが開口された端板２ｄにより閉鎖されている。
小径部２ｂの端板２ｄ側外周面には、第１工具本体２の軸線と直行する方向にハンドル４が突設されていると共に、小径部２ｂの内周面には雌ねじ２ｅが形成されていて、この雌ねじ２ｅにチャック部材３に形成された雄ねじ３ｅが螺合されている。
チャック部材３は図２に示すように、軸筒部３ａと、軸筒部３ａの一端側に突設されたコレットチャック部３ｂと、軸筒部３ａの他端に突設されたリング状の工具取り付け環３ｃとからなり、工具取り付け環３ｃに、手動ハンドル５のスリット５ａを嵌合して、手動ハンドル５を回転することにより、第１工具本体２内でチャック部材３を回転できるようになっている。
【００１７】
チャック部材３のコレットチャック部３ｂは、先端側が大径で、かつ軸筒部３ｂ側へ順次小径となるテーパ状に形成されていて、円周方向に複数、例えば６本の割り溝３ｄが形成されており、コレットチャック部３ｂの外周面が第１工具本体２の大径部２ａ内周面に摺接することにより、径方向へ拡縮自在となっている。
軸筒部３ｂの中間部外周には、軸筒部３ｂよりやや大径な雄ねじ３ｅが形成されていて、この雄ねじ３ｅが第１工具本体２の小径部２ｂ内周面に形成された雌ねじ２ｅに螺合した状態で、図１に示すように第１工具本体２内にチャック部材３が収容されている。
【００１８】
第２工具６は図３ないし図７に示すように、小径部７ａと大径部７ｂとからなる筒体を半割した第２工具本体７と、円板状のガイド部材８と、円筒状のナット部材９及びパッド部材１０とからなる。
第２工具本体７の小径部７ａ端面に鍔状の嵌合部７ｃが形成されていて、この嵌合部７ｃにパッド部材１０の環状溝１０ａが嵌合されている。
パッド部材１０は、半割された小径部７ａに合わせて２分割された円板状に形成されていて、全体が四フッ化エチレン樹脂のような滑性を有する樹脂や、セラミックスよりなり、外周面に環状溝１０ａが形成されていて、環状溝１０ａを小径部７ａ端面の嵌合部７ｃに嵌合した状態で、嵌合部７ｃにパッド部材１０が接着剤により接着されている。
パッド部材１０の外側端面１０ｂは凸球面状に形成され、また内側面は中心部側に順次薄肉となるようにテーパ状に形成されていて、端面１０ｂの中心部に後述する封緘対象物３０を固定する固着具３１の外形より大きい透孔１０ｃが形成されており、透孔１０ｃの周囲には、平坦面１０ｄが環状に形成されている。
【００１９】
第２工具本体７の大径部７ｂ側端部内面には環状溝７ｄが形成されていて、この環状溝７ｄに円板状のガイド部材８が密嵌されている。
ガイド部材８は、半割りされた第２工具本体７の分割面７ｅを合致させて一体化する際、各第２工具本体７の位置合わせをするもので、一方の第２工具本体７の大径部に穿設された取り付け孔７ｆより挿入したビス１２を、ガイド部材８の外周面に形成したねじ孔（図示せず）に螺挿して締め付けることにより、一方の第２工具本体７の環状溝７ｄ内に図７に示すように固着されている。
ガイド部材８の外側端面には、中心部に六角形状の工具取り付け部８ａが突設されていて、この工具取り付け部８ａにボックスレンチやラチェットレンチのような工具１３を嵌合することにより、第２工具６が回転できるようになっている。
【００２０】
ナット部材９は、互いに合致させた第２工具本体７間を締結するもので、両端面が大径部７ｂの内径の曲率に合わせた凸球面９ａに形成されており、内周面に雌ねじ９ｂが形成されている。
そしてナット部材９のねじ孔９ｂには、大径部７ｂに穿設された取り付け孔７ｇより挿入したボルト１４ａの先端が螺挿されていて、このボルト１４ａによりナット部材９が一方の第２工具本体７の大径部７ｂ内周面に固着されている。
他方の第２工具本体７には、ナット部材９の雌ねじ９ｂの中心と合致する位置に別の取り付け孔７ｇが穿設されていて、この取り付け孔７ｇより挿入した締結ボルト１４を締め付けることにより、半割りされた第２工具本体７を径方向に締結できるようになっている。
【００２１】
一方第３工具１５は、図８ないし図１２に示すようにほぼ第２工具本体７と同形状に形成された第３工具本体１６と、ガイド部材１７とからなる。
第２工具本体１６も小径部１６ａと大径部１６ｂを有していて、小径部１６ａの端面に、外側面が凸球面状に形成され、また内側面は中心部側に順次薄肉となるようにテーパ状に形成さた端板１６ｃが設けられていて、端板１６ｃの中心部に、封緘対象物３０を固定する固着具３１の外径より僅かに小径な透孔１６ｄが形成されており、透孔１６ｄの周囲には、平坦面１６ｅが環状に形成されている。
大径部１６ｂの内周面に形成された環状溝１６ｆには、ガイド部材１７が密嵌されていて、大径部１６ｂに穿設された取り付け孔１６ｇより挿入したビス１８を、ガイド部材１７に穿設されたねじ孔（図示せず）に螺挿することにより、一方の第３工具本体１６の環状溝１６ｆ内にガイド部材１７が固着されており、ガイド部材１７の外側面には、ボックスレンチやラチェットレンチ等の工具１３を装着する工具取り付け部１７ａが突設されている。
第３工具本体１６の各大径部１６ｂには、互いに合致させた際対向する位置に取り付け孔１６ｈとねじ孔１６ｉが穿設されていて、取り付け孔１６ｈより挿入した締結ボルト１９をねじ孔１６ｉに螺挿して締め付けることにより、分割された第３工具本体１６を径方向に締結出来るようになっている。
【００２２】
次に前記構成されたキャップ取り外し工具の作用を説明する。
前記キャップ取りは外し工具を使用すれば、一般の工具では取り外しが困難な例えば建築業界等で使用されている化粧蓋や、封緘対象物３０を固定している固着具３１の頭部に被冠された封緘等のキャップ３２を破損せずに取り外すことができる。
封緘対象物３０が例えば車両のナンバープレートの場合、車両を修理したり、補修塗装する際に取り外す必要がある。
通常ナンバープレートのような封緘対象物３０は、複数の固着具３１により車体に固定されているが、固着具３１の１個に封緘が施されており、封緘に使用するキャップ３２は、固着具３１の首部に嵌挿された雌部材と、雌部材に係合する雄部材（ともに図示せず）とから形成されており、一旦雌部材に雄部材を嵌合すると、キャップ３２を破壊しない限り封緘対象物３０の取り外しは困難であり、キャップ３２を破壊した場合、キャップ３２は再使用が不能になる。
【００２３】
そこで本発明の実施の形態では、図１３に示すように封緘対象物３０を車体等のブラケット３３に取り付けている固着具３１の頭部を覆うキャップ３２の外周に、保護のための粘着テープ３３を１〜２回巻き付ける。
そしてこの状態で第１工具６のコレットチャック部３ｂをキャップ３２の外周面に嵌合し、手動ハンドルによりチャック部材を回転して、コレットチャック部３ｂによりキャップ３１の外周部を挟着する。
次にインパクトプーラのような衝撃工具（図示せず）をチャック部材３の工具取り付け環３ｃに引っ掛けて、衝撃工具で第１工具１に引張り方向へ衝撃を加える。
これによってアルミニウムのような軟金属により形成されたキャップ３２の雌部材３２ａが僅かに塑性変形するため、封緘対象物３０とキャップ３２の接触面間に僅かな隙間が発生する。
次にキャップ３２より第１工具１を取り外したら、２つ割りした第２工具６のパッド部材８を封緘対象物３０とキャップ３２の間の隙間に図１４に示すように嵌合した状態で第２工具本体７を互いに合致させ、取り付け孔７ｇより挿入した締結ボルト１４をナット部材９の雌ねじ９ｂに螺挿して締め上げると、パッド部材８の平坦面１０ｄが封緘対象物３０とキャップ３２の隙間に食い込み、さらに締結ボルト１４を締め付けると、パッド部材８の内側面に形成されたテーパ面がキャップ３２を封緘対象物３０より引き離す方向へ牽引するため、隙間がさらに拡開する。
【００２４】
このとき四フッ化エチレン樹脂やセラミックスよりなるパッド部材８が封緘対象物３０やキャップ３２に強く圧着されるが、パット部材８は滑性を有する上、封緘対象物３０やキャップ３２より軟質なため、両者を損傷することがない。
以上のようにして封緘対象物３０とキャップ３２の間の隙間が更に拡開したら第２工具６を取り外した後、第２工具６と同様に第３工具１５を図１５に示すように取り付ける。
封緘対象物３０やキャップ３２の間には、第２工具６により十分な隙間が形成されているため、第３工具１６を取り付けると、第３工具本体１７の端板１６ｃに形成された透孔１６ｄが隙間の部分に露出した固着具３１のねじ部に達するので、この状態で互いに合致させた第３工具本体１７を締結ボルトで締め上げると、透孔１６ｄの周縁が固着具３１のねじ部へ食い込む。
この状態になったらガイド部材１７より突設された工具取り付け部１７ａにボックスレンチやラチェットレンチ等の工具１３を取り付けて、固着具３１が緩む方向へ第３工具１６を回転させ、ブラケット３３より固着具３１とともに封緘対象物３０を取り外すもので、第１工具１、第２工具６及び第３工具１６を使用することにより、キャップ３２を破壊せず、また封緘対象物３０や車体等を傷付けずに封緘等のキャップ３２を取り外すことができるようになる。
【００２５】
一方取り外した封緘対象物３０やキャップ３２を再び取り付ける場合は、固着具３１に対してキャップ３２が空転しないように、瞬間接着剤等で固着具３１にキャップ３２を仮止めする。
そしてこの状態で固着具３１をブラケット３３に螺挿して車体等に封緘対象物３０を取り付けたら、キャップ３２を手などでさらに締め込んで、固着具３１にキャップ３２を仮止めしている接着剤を剥離し、キャップ３２が空転する状態にするが、固着具３１にキャップ３２が強固に接着されていて、手で回しても剥離できない場合は、第１工具１をキャップ３２の外周面に取り付けて、手動ハンドル５によりチャック部材３を回転し、固着具３１にキャップ３２を仮止めしている接着剤を強制的に剥離する。
【００２６】
固着具３１をブラケット３３に螺挿して車体等に封緘対象物３０を取り付けた状態では、まだキャップ３２が塑性変形した状態にあって、封緘対象物３０とキャップ３２の接触面間に隙間が発生しているので、キャップ３２の頭部をゴムハンマ等で軽くたたいて、キャップ３２を封緘対象物３０に密着させる。
これによって、キャップ３２を破損や変形させることなく封緘対象物３０を固定する固着具３１を封緘することができるようになる。
なお前記実施の形態では、封緘対象物３０をブラケット３３に固定する固着具３１を封緘したキャップ３２を取り外す場合について説明したが、これに限定されることはなく、建築部材等を固定している固着具の頭部を覆う化粧蓋のように、一般の工具では取り外しが困難なキャップ類にも適用できることは勿論である。
【図面の簡単な説明】
【００２７】
【図１】本発明の実施の形態になるキャップ取り外し工具を構成する第１工具の斜視図である。
【図２】本発明の実施の形態になるキャップ取り外し工具を構成する第１工具の一部を断面した分解平面図である。
【図３】本発明の実施の形態になるキャップ取り外し工具を構成する第２工具の平面図である。
【図４】本発明の実施の形態になるキャップ取り外し工具の第２工具を示す分解斜視図である。
【図５】図３のＡ方向からの矢視図である。
【図６】図３のＢ方向からの矢視図である。
【図７】図３のＣ−Ｃ線に沿う断面図である。
【図８】本発明の実施の形態になるキャップ取り外し工具を構成する第３工具の平面図である。
【図９】本発明の実施の形態になるキャップ取り外し工具を構成する第３工具の分解斜視図である。
【図１０】図８のＤ方向からの矢視図である。
【図１１】図８のＥ方向からの矢視図である。
【図１２】図８のＦ−Ｆ線に沿う断面図である。
【図１３】本発明の実施の形態になるキャップ取り外し工具の作用説明図である。
【図１４】本発明の実施の形態になるキャップ取り外し工具の作用説明図である。
【図１５】本発明の実施の形態になるキャップ取り外し工具の作用説明図である。
【符号の説明】
【００２８】
１    第１工具
２    第１工具本体
３    チャック部材
３ｂ    コレットチャック部
３ｃ    工具取り付け環
６    第２工具
７    第２工具本体
８    ガイド部材
１０    パッド部材
１０ｃ    透孔
１４    締結ボルト
１５    第３工具
１６    第３工具本体
１６ｃ    端板
１６ｄ    透孔
１７    ガイド部材
１９    締結ボルト
【図１】
2007021631.tif 000003
【図２】
2007021631.tif 000004
【図３】
2007021631.tif 000005
【図４】
2007021631.tif 000006
【図５】
2007021631.tif 000007
【図６】
2007021631.tif 000008
【図７】
2007021631.tif 000009
【図８】
2007021631.tif 000010
【図９】
2007021631.tif 000011
【図１０】
2007021631.tif 000012
【図１１】
2007021631.tif 000013
【図１２】
2007021631.tif 000014
【図１３】
2007021631.tif 000015
【図１４】
2007021631.tif 000016
【図１５】
2007021631.tif 000017